(57)【要約】【課題】拡大用レンズの着脱が極めて容易に且迅速に行え且対象物を照明する照明部を備えた拡大鏡を提供すること。【解決手段】本発明の拡大鏡１０は、拡大用レンズ１２と、観察者と観察されるべき対象物との間にてレンズの位置決めをするレンズ保持部１６を有し、レンズ保持部が対象物を照明する光源４２と、拡大用レンズの縁部の一部を取り外し可能に把持するクリップ２２、２４とを有する。クリップは、互いに他に対して枢動可能に接続された第一及び第二の部材からなり、該第一及び第二の部材の端部の間にて拡大用レンズの縁部を把持する。【選択図】        図１
2004309633.tif 000002
【特許請求の範囲】
【請求項１】
拡大用レンズと、観察者と観察されるべき対象物との間にて前記拡大用レンズを位置決めする位置決め手段を有し、前記対象物の拡大された像を観察者が直視するよう構成された拡大鏡であって、前記位置決め手段が前記対象物を照明する光源と、前記拡大用レンズの縁部の一部を取り外し可能に把持するクリップとを有することを特徴とする拡大鏡。
【請求項２】
請求項１の拡大鏡であって、前記クリップが第一及び第二の部材を有し、該第一及び第二の部材は、互いに他に対して枢動可能に接続され、該第一及び第二の部材の端部の間にて前記拡大用レンズの縁部の前記一部を把持することを特徴とする拡大鏡。
【請求項３】
請求項２の拡大鏡であって、前記位置決め手段が筐体を有し、前記光源が前記筐体の下方に固定され、前記クリップの第一の部材が前記筐体の上部に固定されていることを特徴とする拡大鏡。
【請求項４】
請求項２の拡大鏡であって、前記クリップの第一の部分と第二の部分とを互いに他に対して解除可能に固定するストッパが設けられていることを特徴とする拡大鏡。
【請求項５】
請求項１乃至４の拡大鏡であって、前記拡大用レンズの焦点距離が１０ｃｍから５０ｃｍである拡大鏡。
【請求項６】
請求項１乃至５の拡大鏡であって、前記拡大用レンズがフレネルレンズである拡大鏡。
【請求項７】
請求項１乃至５の拡大鏡であって、前記拡大用レンズが単凸レンズである拡大鏡。
【請求項８】
請求項７の拡大鏡であって、前記拡大用レンズの周囲が枠に囲繞され、該枠の一部が前記拡大用レンズの外方向に突出した伸長部を有し、前記クリップが前記伸長部を把持することにより、前記拡大用レンズを位置決めすることを特徴とする拡大鏡。
【請求項９】
請求項１乃至８の拡大鏡であって、卓上据置型である拡大鏡。
【請求項１０】
請求項１又は２の拡大鏡であって、頭部装着型である拡大鏡。
【請求項１１】
請求項１乃至１０の拡大鏡であって、前記光源が螢光灯である拡大鏡。
【請求項１２】
請求項１乃至１０の拡大鏡であって、前記光源がＬＥＤである拡大鏡。
【発明の詳細な説明】
【０００１】
【発明の属する技術分野】
本発明は、読書や細かい手作業等の際に文字又は物体等を拡大して観るために用いられる拡大鏡に係り、より詳細には、かかる拡大鏡に於いて拡大像として観察される物体を照明する照明装置付き拡大鏡に係る。
【０００２】
【従来の技術】
従来より、細かい手作業、例えば、小さな工芸品や手芸品の細工などを行う場合に手元を拡大して観察するために、或いは、新聞などの小さな文字を拡大して読み易くするために、拡大鏡が日常的に用いられている。そのような拡大鏡として、例えば、卓上据置型の拡大鏡、頭部装着型の拡大鏡などが知られている。
【０００３】
卓上据置型拡大鏡は、直径数ｃｍから４０ｃｍ程度の単凸レンズ又はフレネルレンズが、アーム又はその他の適当な支持装置により、観察者と拡大して観察される物体又は書物との間の適当な高さに固定され、これにより、観察者は、レンズを通して、物体又は文字の拡大像を見ることができるよう構成されている。かかる拡大鏡に於いては、通常、レンズの高さ又は向きは、適宜、観察者が使い易いように、アーム等の支持装置を動かすことにより、調節できるようになっている（例えば、特許文献１−４参照）。頭部装着型の拡大鏡は、所謂、老視鏡であり、また、観察者の頭部に装着されるバンドにより単凸レンズが観察者の目の前に懸架されるようにな形態の拡大鏡も使用されている（例えば、特許文献５参照）。
【０００４】
上記の拡大鏡の光学系は、いずれも、虫めがねの光学系、即ち、基本的には、凸レンズを通して、拡大された物体の虚像を目で直視するという極めて簡単な構成のものである（レンズ倍率は、通常、１倍から数倍程度までである。付属的に倍率を上げるために更に凸レンズを重ねる場合もある。）。このような拡大鏡は、それが簡単な構成であるが故に、新聞や辞典などのやや小さな文字を見る場合や刺繍或いは模型作りなどのやや細かな作業を行う場合などの、実体顕微鏡等の高性能な顕微鏡を使うほどの大袈裟な作業ではない一般の生活に於いて、廉価で且手軽で利便性のある日用品或いは事務用品として一般家庭やオフィスにおいて広く利用されている。特に、高齢化しつつある社会においては、老視の人口が増大し、従って、老視の矯正として、手軽に、新聞や文庫本などの小さな文字を拡大して読むことのできる拡大鏡の必要性も増大する。
【０００５】
上記の如き、従来の日用品又は事務用品としての拡大鏡の一つの問題は、対象物（観察されるべき物体又は書物等）の像を適当に拡大して観察できるが、その像が拡大鏡を使わない場合に比べて暗くなってしまう、或いは、像のコントラストが低くなってしまうということである。周知の如く、レンズを用いて対象物の像を拡大すると、その像の明るさは低下する。また、室内の照明の向き（屋外であれば、日当りの向き）と、観察者、対象物及び拡大鏡の位置との関係によっては、拡大鏡が、対象物を照らす光を遮ってしまう場合もある。特に、観察者が老視者である場合、観察者の視力は低下しており、従って、対象物の像が拡大されても、適度な明るさとコントラストが得られなければ、かえって、対象物を観察しずらくなってしまい、老視の矯正の目的が達成されない。
【０００６】
従って、適度な明るさとコントラストを有する拡大像を得るためには、室内の照明を利用するのではなく、直接に対象物を照明できることが好ましい。そのような照明装置を有する拡大鏡も種々提案されている。例えば、下記の特許文献６は、拡大用レンズの周囲に円形の光源を付設し、対象物を照明するよう構成された拡大鏡を開示している。同様な構成は、下記の特許文献７−１０にも開示されている。
【０００７】
【特許文献１】
実開平０２−０４４７１１号公報
【特許文献２】
実開平０５−００６４２０号公報
【特許文献３】
特開平０８−３３８９５５号公報
【特許文献４】
特開平１１−０８４２６６号公報
【特許文献５】
特開平１０−１０４５５３号公報
【特許文献６】
実登３００２５１９号公報
【特許文献７】
特開２０００−０３５５４５号公報
【特許文献８】
特開２００２−１５０８０２号公報
【特許文献９】
実開昭６１−６６８１１号公報
【特許文献１０】
実開昭６２−１２１１６号公報
【０００８】
【発明が解決しようとする課題】
ところで、拡大鏡を通して対象物を観察すると、その像が拡大されるだけでなく、対象物は実際の位置とは異なった位置にあるように見えることとなる。従って、対象物の、所謂「遠近感」に違和感を覚え、一時的にレンズを外して、対象物を直接に（レンズを通さずに）観察しようとすることがある。また、レンズを通して対象物を観察しつづけると、観察者は、目の疲労感を感ずることがあり、その場合も、しばらくの間、一時的に、レンズを外して対象物の観察したいと欲する場合がある。更に、レンズの種類、倍率、収差又は大きさなどを、観察されるべき対象物に応じて、或いは、観察者の好みに応じて（同一の観察者でも、その時々で、使いたいレンズが異なることもある。）、容易に変更したい、と欲する場合がある。上記のいずれの場合にも、対象物は、レンズを通して見ていた場合と同様に照明されていることが望ましく、また、レンズの取り付け及び取り外しが極めて容易に且迅速に行えることが望ましい。
【０００９】
また、既に述べた如く、本発明の対象である拡大鏡が日用品又は事務用品として手軽に利用され且廉価であるために有用であるという利点を損なわないためには、レンズの拡大鏡への取り付け及び取り外し（着脱）が容易であるという点に加えて、レンズ自体には、できるだけ特殊な構成を設けなくてよく、好ましくは、汎用の若しくは任意のレンズが拡大鏡に取り付けられるようになっていることが望ましい。又、拡大鏡は、例えば、机やテーブルの上で利用されるところ、取り外されたレンズを机等に置く場合若しくはレンズの保管に煩わしさがないことが好ましい。望ましくは、レンズを特殊な形状に加工すること、又はレンズに特殊な構造を付加することは製造費用を増大するのでできるだけ避けるべきである。更に、対象物を照明する照明部及びレンズを拡大鏡に保持する構造は、できるだけ複雑でなく、廉価であり、且対象物の観察に障害とならないような構成であることが望ましい。
【００１０】
従って、本発明の目的は、対象物を照明する照明部を備えた拡大鏡において、レンズの着脱が極めて容易に且迅速に行える拡大鏡を提供することである。
【００１１】
本発明の更なる目的は、上記の如き拡大鏡であって、汎用の又は任意のレンズを着脱することのできる拡大鏡を提供することである。
【００１２】
本発明のもう一つの目的は、上記の如き拡大鏡であって、レンズに特殊な加工を施すことなく又は特殊な構造を付加することなく、或いは、対象物を照明する構成又はレンズを保持する構造ができるだけコンパクトであり、或いはまた、拡大鏡上にレンズが取りつけられているか否かに拘らず、或いは、レンズの着脱の前後において、対象物が同様に照明されるよう構成された拡大鏡を提供することである。
【００１３】
本発明のもう一つの目的は、上記の如き拡大鏡であって、取り外されたレンズの保管に煩わしさのない拡大鏡を提供することである。
【００１４】
【課題を解決するための手段】
上記の課題は、本発明によれば、拡大用レンズと、観察者と観察されるべき対象物との間にて拡大用レンズの位置決めをする位置決め手段を有し、対象物の拡大された像を観察者が直視するよう構成された拡大鏡であって、位置決め手段が対象物を照明する光源と、拡大用レンズの縁部の一部を取り外し可能に把持するクリップとを有することを特徴とする拡大鏡によって達成される。
【００１５】
上記の本発明の構成によれば、拡大用レンズの縁がクリップに取り外し可能に把持されるという構成により、極めて容易に且迅速に拡大用レンズの着脱が行えるようになる。また、クリップに把持され得る限り、任意の、即ち、汎用のレンズを本発明の拡大鏡に用いることもできる。更にまた、レンズの着脱は、クリップにて行われるだけであるので、レンズ着脱操作の前後で対象物の照明用の光源を移動させる必要はなく、従って、対象物は、かかる操作の前後において、同じ様な状態で照明されていることとなる。また、拡大用レンズをクリップに把持された状態から一旦取り外し、再度、クリップに把持させる、といった操作の過程において、拡大鏡のその他の構成の状態は、基本的には、変更しないで行えるので、再度、レンズをクリップに把持する際、取り外す前の状態を再現することも容易である。
【００１６】
上記の本発明の構成において、クリップが第一及び第二の部材を有し、該第一及び第二の部材は、互いに他に対して枢動可能に接続され、該第一及び第二の部材の端部の間にて拡大用レンズの縁部の一部を把持するよう構成されていてよい。即ち、クリップは、片手の指先にて開いたり閉じたりすることのできる典型的な形式のものであってよく、これにより、本発明の対象である拡大鏡の手軽さ及び廉価性を損なうことなく、上記の本発明の作用上の利点を具現化することができる。
【００１７】
また、上記の構成において、位置決め手段が筐体を有し、光源がかかる筐体の下方に固定され、クリップの第一の部材が前記筐体の上部に固定されるよう構成されていてよい。光源とクリップとが一つの筐体に備えられることにより、上記の本発明の作用上の利点を維持しながら、拡大鏡の構成をコンパクトにすることが可能となる。
【００１８】
更に、上記構成において、クリップの第一の部材と第二の部材とを互いに他に対して解除可能に固定するストッパが設けられてよい。上記の本発明によれば、拡大用レンズは、その縁にてクリップに把持される。従って、レンズは、片持ち支持されることとなるが、そのような場合、レンズがその重さによってクリップの第一の部材と第二の部材との間から外れることを防ぐべく上記の如きストッパが設けられていると有利である。かかるストッパは、手にて容易に解除できることが好ましい。
【００１９】
上記の本発明の構成において、拡大用レンズは、単凸レンズ又はフレネルレンズであってよい。特に、本発明の拡大鏡が読書に適した形式の物である場合、視野は、容易に、即ち、観察者の目線を動かすだけで書物の全体をカバーできることが好ましい。その場合には、拡大鏡のレンズとして、寸法が約２０ｃｍから約４０ｃｍの概ね長方形であり、焦点距離が３０ｃｍから４０ｃｍであるフレネルレンズが用いられる。他方、工芸品や手芸品を細工する際の手元や非常に小さな文字や対象物を観察する場合には、適宜の倍率を得るべく、焦点距離が１０ｃｍから５０ｃｍ程度までの任意の拡大用レンズが用いられてよい。
【００２０】
特にフレネルレンズの場合、レンズは、実質的に板状部材であるから、その任意の縁にてクリップに好適に把持することが可能である。他方、単凸レンズであれば、種々の仕様が利用可能であり、本発明の拡大鏡において、任意のレンズを拡大鏡に装着することができるという利点が更に有効に具現化することができる。その際、任意の単凸レンズの周囲が枠に囲繞され、枠の一部が拡大用レンズの半径方向に突出した伸長部を有し、前記クリップが前記伸長部を把持することにより、拡大用レンズを位置決めするよう構成されてよく、こうすることにより、レンズ自体に加工を施すことなく、しかも枠に単に伸長部を設けるだけで、レンズをクリップにて安定に且再現性よく拡大鏡に固定することが可能となる。
【００２１】
上記の本発明の構成は、観察者の目と対象物と拡大用レンズとの位置関係を固定して用いられる卓上据置型の拡大鏡において特に有用である。かかる卓上据置型の拡大鏡は、既に述べた如く、適当にアーム又はその他の支持装置により、拡大用レンズを固定して、観察者が両手を自由に使える状態で対象物の拡大像を観察できるよう構成されており、通常、対象物と観察者の距離が１０ｃｍから５０ｃｍ程度で、寸法が１０ｃｍから５０ｃｍ程度の拡大用レンズを対象物と観察者の目との間に配置して用いることを想定して設計されている。即ち、据置型の拡大鏡の場合には、観察者は、拡大鏡の使用中において、拡大鏡の位置をそのまま据え置いた状態で、レンズをクリップに挟むだけ又はクリップから抜き取るだけで、極めて容易に且迅速にレンズの着脱ができるようになる。もちろん、本発明は、頭部装着型の拡大鏡においても適用可能であり、クリップでレンズの縁の一部を把持するという構成により、レンズの着脱は、従来の老視鏡に比して遥かに容易である（そもそも従前の老視鏡は、典型的には、レンズのみの着脱ができない。）。
【００２２】
本発明の対象である拡大鏡が手軽に利用され且廉価であるという利点を損なわないようにするために、本発明において採用される光源は、螢光灯又はＬＥＤ（発光ダイオード）であってよい。より詳細には、小型の螢光灯又は高輝度白色ダイオード（又はダイオードアレイ）であってよく、これらの光源を用いることにより、位置決め手段において、光源及びそれに付随する装置部分をコンパクトにすることができ、レンズの着脱の際に障害とならず有利である。また、読書用のやや大きめの拡大鏡の如く、視野が大きめの拡大鏡では、視野全体を照明するために、光源を収める筐体が横長の形状となるところ、このことにより、クリップに対し好適な支持体を呈する。
【００２３】
本発明のその他の目的及び利点は、以下の好ましい実施態様の説明により、当業者にとって明らかになるであろう。
【００２４】
【発明の実施の形態】
以下に添付の図を参照しつつ、本発明を幾つかの好ましい実施形態について詳細に説明する。
【００２５】
図１を参照して、概ね符号１０にて、本発明が適用される卓上据置型の、より詳細には、スタンド型の拡大鏡の一つの実施態様が示されている。
【００２６】
基本的な拡大鏡１０の構成は、従来より知られている構成であり、例示されている拡大鏡１０においては、簡単に述べれば、拡大用レンズ１２が、基台部１７とアーム部１８とから構成される支持スタンド部１４の上方のレンズ保持部（レンズ位置決め手段）１６にて、任意の高さ及び向きにて調節されて空中に保持される。もちろん、本発明が適用可能な卓上据置型の拡大鏡は、図示の形態以外、例えば、支持スタンド部が机の縁に固定されるよう構成されているものにも適用可能である。拡大鏡が、例えば、主として読書の際に用いられるものである場合、拡大用レンズ１２は、寸法が２０ｃｍから５０ｃｍの概ね長方形であり、レンズ全体の外形が平版状のフレネルレンズが好ましい。しかしながら、後で説明する如く、やや肉厚で円形の両凸レンズ又は平凸レンズ等、虫めがねの光学系を成立し得る任意のレンズが用いられていもよいことは、当業者にとって理解されるであろう。また、レンズは、図１から理解されるように、片持ち支持されることとなるため、できるだけ軽量であることが望ましく、従って、ガラス製よりは、プラスチック製の方が好ましい。
【００２７】
本発明による拡大鏡１０においては、更に、レンズ保持部１６は、アーム部１８の上端１８ａにて留めねじ１９により固定される筐体部２０を構成しており、筐体の下側は開放され、後述の如く、拡大用レンズ１２の下方に向って照明光Ｌを与える光源が設けられている。そして、レンズ保持部１６の筐体の上部２４には、クリップ部材２２が、（図２において示されている）枢軸周りに枢動可能に接続され、クリップ部材２２と保持部筐体上部２４との間にて拡大用レンズ１２が把持されるよう構成されている。
【００２８】
図２は、レンズ保持部の上面図（図２Ａ、点線は、内部の構造の一部を示している。）及び側方断面図（図２Ｂ）の模式図を示している。同図を参照して、クリップ部材２２は、その略中間部下方にて開孔部２６を有する一対の突出部２８を有し、突出部２８の開孔部２６は、筐体上部２４から上方へ延在する一対の突出部３０の開孔部（図示せず）に整合する。そして、これらの整合した開孔部には、枢軸３２が貫通し、クリップ部材２２は、筐体上部２４に対して、枢軸３２周りに枢動可能に接続される。枢軸３２の周囲には、付勢ばね３４がクリップ部材２２と筐体上部２４との間に嵌挿され、クリップ部材２２を、図２Ｂにて反時計周りに、クリップ部材の先端部３６と筐体上部の先縁部３８とが近接する方向に付勢力を与え、かくして、クリップ部材２２と筐体上部３８とが協働してレンズ１２を把持する（従って、クリップ部材２２がクリップの第二の部材であり、筐体上部がクリップの第一の部材を構成する）。クリップ部材の先端部３６と筐体上部先端部３８には、挾持されるレンズに損傷しないように且レンズが滑らないように、ゴム又は樹脂製のすべり留め４０が設けられていて良い。
【００２９】
筐体２０の上部の下側には、対象物（図示せず）を照明するための光源４２が設けられる。光源４２は、好適には、白色ＬＥＤ（発光ダイオード）若しくは高輝度白色ＬＥＤ又はＬＥＤアレイである。白色ＬＥＤであれば、従前の電球等に比して、発光量に対する消費電力が小さく、経済的に有利であるが、当業者にとって理解される如く、その他の光源、例えば、小型の螢光灯であってもよい。筐体内側には、更に、光源４２の光が効率的に下方に発せられるようにフード４４が設けられていてよく、また、図示していないが、筐体の下端に（筐体を下から蓋をするように）集光レンズが設けられていてもよい。螢光灯又はＬＥＤアレイの寸法は、視野全体をできるだけ一様に照らすためには、拡大用レンズ１２の一辺の長さと概ね同一であることが好ましい。レンズ保持部１６又は支持スタンド部１４の内部には、用いられる光源に対応した光源用の回路装置（図示せず）及び通常の商用電力を得るための電源コード及びプラグ４３が装備される。
【００３０】
なお、光源がＬＥＤ又は高輝度白色ＬＥＤである場合、光源用電源は、電池であってよく、その場合、電源コード及びプラグ４３は、必要とせず、当業者にとって公知の態様にて、支持スタンド部１４又はレンズ保持部１６の内部に、電池ボックス及びＬＥＤ駆動用回路が設けられてよい。
【００３１】
レンズ保持部１６における拡大用レンズ１２の着脱は、図２から理解されるように、極めて容易に且迅速に行うことができる。図３に模式的に示されているように、レンズの着脱の際には、観察者は、単にクリップ部材２２を時計廻りに枢動することにより、レンズ１２の出し入れが可能となる。その際、拡大鏡自体及び対象物を移動する必要はほとんどなく、対象物は光源４２からの照明光Ｌにて照明された状態を維持される。また、光源に対してレンズを挾持する位置が固定されていることにより、観察状態の再現性が良い、即ち、レンズを取りつけた状態から、一旦、レンズを外し、再度、レンズを取り付けた状態に戻す際に、初めに取り付けてあった状態に復帰させることが極めて容易に行われる。
【００３２】
再び、図２を参照して、クリップ部材２２の図中右端には、ストッパ部材５２が設けられている。ストッパ部材５２は、図２Ｂ中、点線にて示されている如く、枢軸５４周りに反時計周りに枢動するよう枢着されている。かくして、ストッパ部材５４が点線で示された状態にされると、クリップ部材が時計周りに枢動することが阻止され、レンズが挾持された状態が保持される（レンズの重みで、クリップが開いてしまうことが阻止される。）。
【００３３】
図４には、本発明の拡大鏡に容易に取りつけられる拡大用レンズの一つの実施形態が示されている。図４のレンズ５６は、単凸レンズであり、従って、レンズ自体は、曲面形状を有する。勿論、単凸レンズ単体でも、本発明の図１又は２に示されているレンズ保持部１６にて保持することが可能であるが、平板状のフレネルレンズに比して、保持の安定性が悪くなる。従って、図４に示されている如く、レンズの周囲を枠５８にて囲繞し、該枠の一部に外方向に突出した伸長部６０を設けて、レンズ５６を伸長部６０にてクリップ部材２２と筐体上部２４との間に挾持するようになっていることが好ましい。
【００３４】
図５には、本発明のレンズ保持部に設けられるクリップのもう一つの実施形態が示されている。この実施形態において、クリップは、例えば、金属製の弾性材料からなる一体的のばねクリップ６２であり、筐体２４の上部に図示の如く片方のクリップの一方の片６４が固定され、他方の片６６の端部が弾性力により片６４の端部に付勢される。レンズを拡大鏡に取り付ける際には、拡大用レンズは、その縁が片６４及び６６の間に押し込まれることにより挾持される。レンズを拡大鏡から取り外す場合には、単にレンズをクリップから引き抜くだけでよい。
【００３５】
図示していないが、光源とクリップとを備えたレンズ保持部は、頭部装着型の拡大鏡又は老視鏡においても適用される。その場合、レンズ保持部は、例えば、拡大用レンズの上縁に設けられてよい。そのような頭部装着型の拡大鏡も本発明の範囲に属すると理解されるべきである。
【００３６】
【発明の効果】
従来の照明付き拡大鏡は、拡大用レンズが、容易に且迅速に拡大鏡から取り外すことができるものではなかった。ほとんどの拡大鏡においては、製造時にレンズが一旦拡大鏡に組み立てられると、その後の拡大鏡の使用中に使用者によって取り外せるよう構成されておらず（レンズを視野から移動する構成は特許文献１０に見られる。）、仮に取り外せたとしても、固定用の留めねじ等を外すなどして、レンズを取り外すために手間のかかる構造であった。
【００３７】
特許文献９においては、照明器具とは別体の物品として、レンズの枠にアームを設けアームの先端が汎用の照明器具のフードの端縁に取りつけられるクランプを備えた拡大鏡が提案されている。この場合、任意の照明器具に拡大鏡を取り付けることができる反面、利用できるレンズが、予め、アームを備えた枠に固定されていなければならず、即ち、利用できるレンズを予め容易しておく必要があり、また、レンズを照明器具に取りつける際には、光源又は照明領域に対して、レンズの位置が予め定められていないので、レンズの大きさ及びアームの長さを考慮しつつレンズの適当な取り付け位置又は状態を探索する必要がある（また、フードを有する照明器具でなければならない。また、アームは、観察に用いられる照明器具に適合した長さに準備しておく必要があり、更に、照明器具から取り外した状態のレンズにアームが備えられているため、観察者において、アームが適当に収納されるための工夫を要したものと考えられる。
【００３８】
本発明の拡大鏡においては、既に述べた如く、レンズ保持部、即ち、レンズの位置決め手段に光源と、拡大用レンズの縁部の一部を取り外し可能に把持するクリップとを設けることにより、レンズの着脱に際し、ねじを外すための手間などを必要とせず、しかも、レンズの位置と光源との位置が確定されているため、レンズの位置決めを速やかに行うことができ、したがって、極めて容易に且迅速に対象物の照明を変更することなく、レンズの着脱が可能となる。また、拡大鏡に取り付け可能なレンズは、レンズの縁を把持するという構成によって、観察者の任意の又は汎用のレンズを用いることが可能である。そして、取り外されたレンズは、実質的にはレンズ本体のみであり（特に板状のフレネルレンズなどの場合）、収納又は保管にさほどの気を使う必要がなく、本発明の対象とするところの拡大鏡が手軽に用いられる日用品としての利点を損なうことはない。
【００３９】
既に述べた如く、本発明の拡大鏡において、光源は、小型の螢光灯であってもよいが、ＬＥＤ又はＬＥＤアレイが、消費電力が小さく、又、発熱量も小さいという点で、より有利であることは理解されるべきである。本発明においては、拡大鏡をコンパクトなものとする目的で、クリップと光源とが位置決め手段（レンズ保持部１６）に備えられ、レンズの固定位置と光源の位置とが近接している。他方、レンズは、片持ち支持される構成のため、より軽量なプラスチック製のものが好ましいところ、仮に、光源の発熱量が大きい場合には、光源の熱がレンズに伝導し、プラスチック製のレンズにダメージを与えるおそれがある。従って、より発熱量の小さいＬＥＤが光源として好ましい。
【００４０】
以上の説明は、本発明の幾つかの実施の態様に関連してなされているが、当業者にとって多くの修正及び変更が容易なされることは、理解されるべきであり、本発明は、上記に例示された実施態様のみに限定されるものではなく、本発明の概念から逸脱することなく種々の拡大鏡に適用されることは理解されるであろう。
【図面の簡単な説明】
【図１】本発明による拡大鏡の一つの実施形態の斜視図である。
【図２】本発明による拡大鏡のレンズ保持部１６の模式的な上面図（Ａ）と側方断面図（Ｂ）である。（Ａ）において、点線は、内部の構成の一部を示す。
【図３】図１又は２の実施形態において、レンズの着脱の様子を示す模式図。
【図４】本発明の拡大鏡に用いることのできる枠を備えた単凸レンズの模式的な上面図（Ａ）と側面図（Ｂ）。
【図５】本発明によるもう一つのレンズ保持部の実施形態の模式的な側面図。
【符号の説明】
１０…スタンド型拡大鏡
１２…拡大用レンズ
１４…支持スタンド部
１６…レンズ保持部（レンズ位置決め手段）
２０…筐体
２２…クリップ部材
２４…筐体上部
３４…ばね
４２…光源
４４…フード
５２…ストッパ
５６…単凸レンズ
５８…レンズ枠
６０…伸長部
６２…ばねクリップ
【図１】
2004309633.tif 000003
【図２】
2004309633.tif 000004
【図３】
2004309633.tif 000005
【図４】
2004309633.tif 000006
【図５】
2004309633.tif 000007